(57)【特許請求の範囲】
【請求項１】
太陽電池を有するリモコンと、該太陽電池に向って斜め方向から光を照射する光源手段とを備えたリモコンユニットにおいて、
該光源手段は、太陽電池の単位面積当りの受光光量を均等化させる形態にて設けられており、
該光源手段はレンズを備えており、該レンズによって太陽電池の単位面積当りの受光光量が均等化されることを特徴とするリモコンユニット。
【請求項２】
請求項１において、前記太陽電池は、光源手段に近い側と遠い側とを結ぶ方向の幅員がそれと垂直方向の幅員よりも大きく、
光源手段からの光束の光軸垂直方向の断面形状は、太陽電池の光源手段に近い側と、遠い側と、光源手段とを含む面内の光束幅が、それと垂直方向の光束幅よりも大きい形状であることを特徴とするリモコンユニット。
【請求項３】
太陽電池を有するリモコンと、該太陽電池に向って斜め方向から光を照射する光源手段とを備えたリモコンユニットにおいて、
該光源手段は、太陽電池の単位面積当りの受光光量を均等化させる形態にて設けられており、
前記太陽電池は、光源手段に近い側と遠い側とを結ぶ方向の幅員がそれと垂直方向の幅員よりも大きく、
光源手段からの光束の光軸垂直方向の断面形状は、太陽電池の光源手段に近い側と、遠い側と、光源手段とを含む面内の光束幅が、それと垂直方向の光束幅よりも大きい形状であることを特徴とするリモコンユニット。
【請求項４】
請求項３において、前記光源手段は複数の発光部を備えており、太陽電池における各発光部からの光の照射エリアを分布させることにより太陽電池の単位面積当りの受光光量が均等化されることを特徴とするリモコンユニット。
【請求項５】
請求項１ないし４のいずれか１項に記載のリモコンユニットを有するトイレ設備であって、
前記光源手段は便器後部上面のケーシングに設置されており、前記リモコンはトイレルームの壁面に設置されており、
該リモコンは光源手段よりも便器前後方向における前方に配置されていることを特徴とするリモコンユニット。
【請求項６】
請求項５において、前記太陽電池は、リモコンの正面視において左右方向に並列された複数枚の縦長の太陽電池パネルよりなり、各太陽電池パネルが光源手段を指向するように壁面に対し斜め方向に配置されていることを特徴とするリモコンユニット。
【発明の詳細な説明】
【技術分野】
【０００１】
本発明は、太陽電池を備えたリモコンユニットと、このリモコンユニットを備えたトイレ設備に関する。
【背景技術】
【０００２】
太陽電池及び該太陽電池で得られた電力で充電される電池を備えたリモコンユニットとして、実開平２−１３６４４８には、充電用赤外発光部を室内の天井部に設け、この赤外発光部からの赤外光をリモコンの太陽電池に入光させることが記載されている。
【０００３】
なお、太陽電池を備えたトイレルーム用リモコンは公知である（例えば特開平８−２２３６５２号公報）。同公報には、太陽電池を上向きに設けることにより受光光量を増大させ、発電効率を向上させることが記載されている。
【先行技術文献】
【特許文献】
【０００４】
【特許文献１】実開平２−１３６４４８号公報
【特許文献２】特開平８−２２３６５２号公報
【発明の概要】
【発明が解決しようとする課題】
【０００５】
特許文献１のように光源を天井に設けた場合、リモコンの太陽電池には光が斜めに入射する。この場合、太陽電池の上部よりも下部の方が光源から遠いので、下部側における太陽電池単位面積当りの受光エネルギーが小さく、太陽電池単位面積当りの発電量が少ない。
【０００６】
特許文献２のリモコンは、太陽電池をリモコンのケース外に指向方向変更可能に設置し、受光光量が最大となる方向に太陽電池を指向させるものであるが、太陽電池がリモコン外部に配置されているため、悪戯を受けるおそれがある。
【０００７】
本発明は、太陽電池の発電効率が良好なリモコンユニットと、このリモコンユニットを用いたトイレ設備を提供することを目的とする。
【課題を解決するための手段】
【０００８】
本発明（請求項１）のリモコンユニットは、太陽電池を有するリモコンと、該太陽電池に向って斜め方向から光を照射する光源手段とを備えたリモコンユニットにおいて、該光源手段は、太陽電池の単位面積当りの受光光量を均等化させる形態にて設けられており、該光源手段はレンズを備えており、該レンズによって太陽電池の単位面積当りの受光光量が均等化されることを特徴とするものである。
請求項２のリモコンユニットは、請求項１において、前記太陽電池は、光源手段に近い側と遠い側とを結ぶ方向の幅員がそれと垂直方向の幅員よりも大きく、光源手段からの光束の光軸垂直方向の断面形状は、太陽電池の光源手段に近い側と、遠い側と、光源手段とを含む面内の光束幅が、それと垂直方向の光束幅よりも大きい形状であることを特徴とするものである。
本発明（請求項３）のリモコンユニットは、太陽電池を有するリモコンと、該太陽電池に向って斜め方向から光を照射する光源手段とを備えたリモコンユニットにおいて、該光源手段は、太陽電池の単位面積当りの受光光量を均等化させる形態にて設けられており、前記太陽電池は、光源手段に近い側と遠い側とを結ぶ方向の幅員がそれと垂直方向の幅員よりも大きく、光源手段からの光束の光軸垂直方向の断面形状は、太陽電池の光源手段に近い側と、遠い側と、光源手段とを含む面内の光束幅が、それと垂直方向の光束幅よりも大きい形状であることを特徴とするものである。
【００１０】
請求項４のリモコンユニットは、請求項３において、前記光源手段は複数の発光部を備えており、太陽電池における各発光部からの光の照射エリアを分布させることにより太陽電池の単位面積当りの受光光量が均等化されることを特徴とするものである。
【００１２】
請求項５のリモコンユニットは、請求項１ないし４のいずれか１項に記載のリモコンユニットを有するトイレ設備であって、前記光源手段は便器後部上面のケーシングに設置されており、前記リモコンはトイレルームの壁面に設置されており、該リモコンは光源手段よりも便器前後方向における前方に配置されていることを特徴とするものである。
【００１３】
請求項６のリモコンユニットは、請求項５において、前記太陽電池は、リモコンの正面視において左右方向に並列された複数枚の縦長の太陽電池パネルよりなり、各太陽電池パネルが光源手段を指向するように壁面に対し斜め方向に配置されていることを特徴とするものである。
【発明の効果】
【００１４】
本発明のリモコンユニット及びトイレ設備では、光源手段からの光が太陽電池に対し均等化されるようにして照射されるので、太陽電池の発電効率が向上する。
【００１５】
光源手段からの光が均等化されて照射されるようにするためには、光源手段にレンズを設けてもよく、光源手段に複数の発光部を設け、各発光部からの光の照射エリアを分布させるようにしてもよい。
【００１６】
トイレルームのリモコンなどのように、リモコンの太陽電池が横長になっていることがある。このような場合には、光源手段からの光束の光軸垂直方向の断面形状を横長とすることが好ましい。これにより、光源手段からの光が効率よく太陽電池に照射されるようになる。
【００１７】
トイレルームの壁面のリモコンに対し便器後部上面のケーシングから光を照射する場合、リモコンの太陽電池を複数枚の縦長の太陽電池パネルにて構成し、各太陽電池パネルを光源手段を指向させるように壁面に対し斜めに配置してもよい。このように、各太陽電池パネルを光源手段を指向するように配向させることにより、太陽電池の受光光量を増加させることができる。
【図面の簡単な説明】
【００１８】
【図１】実施の形態に係るリモコンの斜視図である。
【図２】図１のII−II線に沿う断面図である。
【図３】太陽電池の回動機構を示す斜視図である。
【図４】太陽電池の受光光量分布の説明図である。
【図５】別の実施の形態における太陽電池の受光光量の説明図である。
【図６】異なる実施の形態に係る太陽電池の受光光量の説明図である。
【図７】実施の形態に係るリモコンを備えたトイレルームの斜視図である。
【図８】図７の平面図である。
【発明を実施するための形態】
【００１９】
以下、図面を参照して実施の形態について説明する。
【００２０】
第１図〜第３図は第１の実施の形態に係るリモコンユニットのリモコンを示すものであり、第１図はリモコンの斜視図、第２図は第１図のII−II線断面図、第３図は太陽電池の回動機構を示す斜視図である。また、第４図はこのリモコンの受光光量の分布の説明図である。第７、８図は、このリモコンをトイレルームの壁面に設置し、温水洗浄装置等をリモートコントロールするよう構成したトイレ設備の説明図である。
【００２１】
第７図の通り、洋風便器１０の後部上面にケーシングとして便座ボックス１２が設置され、この便座ボックス１２に便座１４及び便蓋１６が起倒自在に枢支されている。なお、便座ボックスの代りにロータンクカバーが設けられてもよい。この便座ボックス１２の右側面（便器着座者にとっての右側面。以下、同様。）には手動式フラッシュハンドル１８が設けられている。また、この便座ボックス１２の左側の上角縁には、可視光透過材料よりなる光照射部２０と、赤外線透過材料よりなるセンサ配置部２２とが設けられている。センサ配置部２２内には人体検知手段センサ（図示略）が配置されている。便座ボックス１２内の電気回路は、図示しないコード、プラグを介して商用電源（ＡＣ１００Ｖ）から給電される。この洋風便器１０は、図示しないホース及び止水栓を介して水道水が供給可能とされている。光照射部２０内には、後に詳述する通り、光源手段としてＬＥＤとレンズが設置されている。
【００２２】
トイレルームの左側の壁面にはリモコン１が着脱自在に掛止されている。第１図の通り、このリモコン１の前面下半部に、臀部を洗浄するためのシャワースイッチ１ａ及びビデスイッチ１ｂ、温風を吹き出すための乾燥スイッチ１ｃ、洗浄強さを調節する洗浄強さ調節ダイヤル１ｄ、洗浄及び乾燥を停止させるストップスイッチ１ｓが設けられている。さらに、このリモコン１の前面下半部には、便座ボックス１２の光照射部２０からの信号を受信する受信手段１ｇが設けられている。
【００２３】
リモコン１の前面上半部の透光パネル２の裏側には、太陽電池３が設けられている。リモコン１の上面には、洋風便器１０に大量（例えば約６Ｌ）の洗浄水を供給する大用フラッシュスイッチ１ｅ、少量（例えば５Ｌ）の洗浄水を供給する男子小用フラッシュスイッチ１ｆが設けられている。リモコン１の前面上部には、制御信号の発信部１ｈが設けられている。
【００２４】
図示は省略するが、リモコン１内には、太陽電池３で発電された電力を蓄電するためのキャパシタ等の蓄電手段のほか、制御回路及び信号送信部が設置されている。この制御回路や送信部等はキャパシタから給電される。
【００２５】
シャワースイッチ１ａを押すと、便座ボックス１２に設けられたシャワーノズル（図示略）が前進し、その先端から温水が噴出し、使用者臀部のシャワー洗浄（肛門洗浄）が行われる。ビデスイッチ１ｂを押すと、同様に便座ボックス１２の本体部に設けられているビデノズル（図示略）が前進し、その先端から温水が噴出して人体臀部の温水洗浄（ビデ洗浄）が行われる。洗浄強さ調節ダイヤル１ｄを回すことにより、洗浄強さ（温水噴出量）が調節される。乾燥スイッチ１ｃを押すと、便座ボックス１２内の温風ファンが作動し、人体臀部に温風が吹き付けられて乾燥が行われる。
【００２６】
ストップスイッチ１ｓを押すと、これらシャワーノズル、ビデノズルまたは温風ファンの作動が停止される。フラッシュスイッチ１ｅ（大用）又は１ｆ（小用）を操作することにより、洋風便器１０の便鉢内に水が供給され、便器洗浄が行われる。
【００２７】
トイレ室内に人が居ないときには、光照射部２０は光を照射せず、リモコン１はスリープモードとなっている。このスリープモードにあっては、スイッチ類１ａ〜１ｆ、１ｓが操作不能な状態（スイッチが押されても信号を送信しない状態）となっている。これにより、リモコン１のエネルギー消費量が低減される。
【００２８】
人が入室すると、便座ボックス１２の光照射部２０からリモコン１に向けて光が照射される。この光をリモコン１の太陽電池３が受光して発電し、この電力をキャパシタが蓄電する。
【００２９】
また、リモコン１がこの光を受信すると、リモコン１がウェークアップモードとなる。このウェークアップモードにあっては、スイッチ１ａ〜１ｆ、１ｓが操作可能な状態（スイッチが押されたときに信号を送信する状態）となっている。
【００３０】
このウェークアップモードにおいて、使用者がリモコン１の各スイッチ１ａ〜１ｆ、１ｓを操作することにより、便座ボックス１２の各機器が上記のように作動する。
【００３１】
使用者がトイレ室から退室し、便座ボックス１２の人体検知センサが人体を非検知となると、光照射部２０からの光照射が停止し、リモコン１が上記スリープモードに切り換わる。このように人体非検知時には、光照射を停止し、リモコンをスリープモードとするので、省電力化を図ることができる。
【００３２】
次に、このリモコン１の太陽電池の受光機構について詳細に説明する。このリモコン１はトイレルームなどの部屋の壁に取り付けられる長方形の盤状のものであり、前述の通り、その前面の上部に透光パネル２が設けられ、該透光パネル２の裏側に複数枚（この実施の形態では６枚）の太陽電池パネル３ａが設置されている。
【００３３】
各太陽電池パネル３ａは縦長の長方形板状であり、第３図の通り上下の端面から軸４が突設され、各軸４がリモコン１のケーシングの軸受部（図示略）に回動可能に支持されている。各太陽電池パネル３ａの上側の軸４の先端にピニオン５が設けられ、該ピニオン５がラック６に噛合している。ラック６は、リモコン１のハウジングに設けられた案内溝（図示略）に上下動可能に支持されている。
【００３４】
リモコン１の上端面には、このラック６の突片６ａ（第３図）に連結された操作片７（第１図）が左右方向移動可能に配置されている。この操作片７を左右に動かすことにより、ラック６が左右に移動し、ピニオン５が回転し、各太陽電池パネル３ａの指向方向角度θが変更される。
【００３５】
なお、６枚の太陽電池パネル３ａを並列してなる太陽電池３の横幅は、太陽電池３の上下寸法よりも大であり、太陽電池３は上下よりも左右に長い形状となっている。
【００３６】
このように構成されたリモコンにおいては、各太陽電池パネル３ａが光照射部を指向して設置されているので、各太陽電池パネル３ａの受光光量が多い。
【００３７】
次に、この光照射部２０内に配置された光源手段の構成と太陽電池３の受光光量分布について説明する。
【００３８】
この光源手段は、第４図（ａ）の通り、ＬＥＤ８とレンズ９とを備えている。レンズ９は、レンズ９を透過した直後の光軸と垂直な断面における水平方向の光強度分布が第４図（ｂ）となる光学特性のものである。第４図（ａ），（ｂ）の通り、太陽電池３のうちＬＥＤ８に近い側（近点）Ｔ１を目指す光Ｓ１は、太陽電池３のうちＬＥＤから遠い側（遠点）Ｔ２を目指す光Ｓ２よりも強度が小さい。
【００３９】
一般に光源から出射された光の強度は、距離の２乗に反比例して小さくなるので、第４図（ｂ）における光強度はＳ１側で最も小さくなり、Ｓ２側で最も大きくなるようにしてある。この結果、太陽電池３の受光面にあっては、第４図（ｃ）の通り、ＬＥＤに近いＴ１側からＬＥＤから遠いＴ２側にかけて受光光量がほぼ一定となる。
【００４０】
なお、この実施の形態では、レンズ９を透過した光束の光軸垂直方向の断面形状は、第４図（ｄ），（ｅ）の通り横長の楕円形状である。これは、太陽電池３が横長であるためであり、第４図（ｅ）の通り照射光束内に太陽電池３の全体が配置される。太陽電池３の外周囲を照射する光量が少ないので、ＬＥＤからの光を効率よく太陽電池３に照射することができる。
【００４１】
第５図（ａ）は別の実施の形態に用いられる光源手段の構成を示す平面図である。
【００４２】
この実施の形態では２個のＬＥＤ８Ａ，８Ｂが並置されている。一方のＬＥＤ８Ａからの光の照射範囲はＡ１〜Ａ２である。Ａ１は太陽電池３の近点Ｔ１側よりも若干外側であり、Ａ２は太陽電池３の遠点Ｔ２付近となっている。
【００４３】
他方のＬＥＤ８Ｂからの光の照射範囲はＢ１〜Ｂ２である。Ｂ１は、Ｔ１，Ｔ２の中間よりも若干Ｔ１側であり、Ｂ２はＴ２よりも若干外側である。
【００４４】
太陽電池３の受光面におけるＬＥＤ８Ａから光の受光強度分布は第５図（ｂ）のＡの通りであり、ＬＥＤ８Ｂから光の受光強度分布は第５図（ｂ）のＢの通りであり、ＬＥＤ８Ａ，８Ｂからの光の合計受光強度分布は第５図（ｂ）のＡ＋Ｂの通りである。この受光強度分布Ａは、近点Ｔ１側の最大値Ａｍａｘから遠点Ｔ２側までの最小値Ａｍｉｎまで大きく低下しており、Ａｍａｘ−Ａｍｉｎは大きいものとなっている。
【００４５】
これに対し、受光強度Ａ＋Ｂの最大値と最小値との差は、Ａｍａｘ−Ａｍｉｎに比べて小さくなっており、太陽電池３における受光光量分布が均等化されている。
【００４６】
第５図（ａ），（ｂ）では、ＬＥＤを２個水平方向に並列しているが、３個以上並列すれば、太陽電池３の受光強度分布はさらに均等化される。第５図（ｃ）は５個のＬＥＤを、各ＬＥＤの照射範囲が少しずつ第５図（ａ）の右側にずれるように並列した場合の受光強度分布図であり、受光光量分布がさらに均等化されている。
【００４７】
本発明では、第６図のようにＬＥＤ８を上下左右に複数個配設したＬＥＤアッセンブリ３０を用いてもよい。ＬＥＤアッセンブリ３０によれば、太陽電池３の受光光量が上下左右で均等化される。
【００４８】
上記実施の形態は本発明の一例であり、本発明は上記実施の形態に限定されるものではない。
【００４９】
上記実施の形態では、便座ボックス１２とそのリモコンとからなるリモコンユニットを例示したが、これに限定されるものではない。例えば、キッチンの給湯器、エアコン、テレビなどの壁付けリモコン等にも適用可能である。
【００５０】
本発明では、リモコンの透光パネルの表面に、斜めに入射する光を透光パネルの表面で反射させることなく取り込み、太陽電池に向けて透過させるための多数の微細な凹凸形状部を設けてもよい。このような凹凸形状としては、プリズム形、四角推形などの多角推形、円錐形などが例示される。プレート面を平坦とした場合の平坦面と、該凹凸形状の斜面との交差角度は５〜８５°特に３０〜８０°程度であることが好ましい。
【符号の説明】
【００５１】
１  リモコン
３  太陽電池
３ａ  太陽電池パネル
５  ラック
７  操作片
１０  洋風便器
１２  便座ボックス
２０  光照射部
３０  ＬＥＤアッセンブリ
【図１】
0005429065.tif 000002
【図２】
0005429065.tif 000003
【図３】
0005429065.tif 000004
【図４】
0005429065.tif 000005
【図５】
0005429065.tif 000006
【図６】
0005429065.tif 000007
【図７】
0005429065.tif 000008
【図８】
0005429065.tif 000009